(57)【要約】【課題】背景画像とテンプレートを効率的に編集加工すること。【解決手段】画像を表示画面上に表示し、表示された画像を編集加工する画像処理装置において、一つの表示画面に、背景画像表示領域１７０１と、テンプレート表示領域１７０２と、組み合わせ画像表示領域１７０３と、を表示し、背景画像を記憶し、テンプレートを記憶し、記憶された背景画像を、背景画像表示領域１７０１に表示し、記憶されたテンプレートをテンプレート表示領域１７０２に表示し、表示された背景画像とテンプレートの組み合わせの指示を受け付け、組み合わせが指示された画像を組み合わせ画像表示領域１７０３に表示する。【選択図】        図１７
2005165790.tif 000002
【特許請求の範囲】
【請求項１】
画像を表示画面上に表示する表示手段を備え、前記表示手段に表示された画像を編集加工する画像処理装置において、
背景画像を記憶する背景画像記憶手段と、
テンプレートを記憶するテンプレート記憶手段と、
前記背景画像記憶手段によって記憶された背景画像を、所定の表示領域に表示する背景画像表示制御手段と、
前記テンプレート記憶手段によって記憶されたテンプレートを、前記背景画像が表示される表示領域とは別の表示領域に表示するテンプレート表示制御手段と、
表示された前記背景画像と前記テンプレートの組み合わせを指示する組み合わせ指示手段と、
前記組み合わせ指示手段によって組み合わせが指示された画像を表示する組み合わせ画像表示制御手段と、
を備えたことを特徴とする画像処理装置。
【請求項２】
前記背景画像表示制御手段および前記テンプレート表示制御手段の少なくともいずれかは、暦情報に基づいて異なる情報を表示することを特徴とする請求項１に記載の画像処理装置。
【請求項３】
さらに、前記背景画像表示制御手段によって表示された背景画像に対して、複数種類の画像変換をおこなう画像変換手段を備えたことを特徴とする請求項１または２に記載の画像処理装置。
【請求項４】
前記画像変換手段は、前記複数種類の画像変換を少なくとも２つ以上同時におこなうことを特徴とする請求項３に記載の画像処理装置。
【請求項５】
前記テンプレート記憶手段は、カテゴリ別、用紙サイズ別、コントロール数別の少なくともいずれか一つに分類して記憶することを特徴とする請求項１〜４のいずれか一つに記載の画像処理装置。
【請求項６】
さらに、前記テンプレート記憶手段によって記憶されたテンプレートの文字列エリアのフォント情報を変更するフォント変更手段を備えたことを特徴とする請求項１〜５のいずれか一つに記載の画像処理装置。
【請求項７】
さらに、前記テンプレートと重なった部分の背景画像をトリミングするトリミング手段を備えたことを特徴とする請求項１〜６のいずれか一つに記載の画像処理装置。
【請求項８】
前記背景画像と前記テンプレートを組み合わせたデザインの履歴を記憶するデザイン履歴記憶手段と、
前記デザイン履歴記憶手段によって記憶されたデザインの履歴を表示するデザイン履歴表示制御手段と、
を備えたことを特徴とする請求項１〜７のいずれか一つに記載の画像処理装置。
【請求項９】
利用者ＩＤごとに合成画面の情報を記憶する合成画面情報記憶手段と、
前記利用者ＩＤによって次回利用される場合に、前記合成画面情報記憶手段によって記憶された合成画面を表示する合成画面表示制御手段と、
を備えたことを特徴とする請求項１〜８のいずれか一つに記載の画像処理装置。
【請求項１０】
前記合成画面の情報は、背景画像のカテゴリ、テンプレートのカテゴリおよびデザイン履歴の少なくともいずれか一つを含むことを特徴とする請求項９に記載の画像処理装置。
【請求項１１】
表示画面上に表示された画像を編集加工する画像処理方法において、
背景画像を記憶する背景画像記憶工程と、
テンプレートを記憶するテンプレート記憶工程と、
前記背景画像記憶工程によって記憶された背景画像を、所定の表示領域に表示する背景画像表示工程と、
前記テンプレート記憶工程によって記憶されたテンプレートを、前記背景画像が表示される表示領域とは別の表示領域に表示するテンプレート表示工程と、
表示された前記背景画像と前記テンプレートの組み合わせを指示する組み合わせ指示工程と、
前記組み合わせ指示工程によって組み合わせが指示された画像を表示する組み合わせ画像表示工程と、
を含んだことを特徴とする画像処理方法。
【請求項１２】
前記背景画像表示工程および前記テンプレート表示工程の少なくともいずれかは、暦情報に基づいて異なる情報を表示することを特徴とする請求項１１に記載の画像処理方法。
【請求項１３】
さらに、前記背景画像表示工程によって表示された背景画像に対して、複数種類の画像変換をおこなう画像変換工程を含んだことを特徴とする請求項１１または１２に記載の画像処理方法。
【請求項１４】
前記画像変換工程は、前記複数種類の画像変換を少なくとも２つ以上同時におこなうことを特徴とする請求項１３に記載の画像処理方法。
【請求項１５】
前記テンプレート記憶工程は、カテゴリ別、用紙サイズ別、コントロール数別の少なくともいずれか一つに分類して記憶することを特徴とする請求項１１〜１４のいずれか一つに記載の画像処理方法。
【請求項１６】
さらに、前記テンプレート記憶工程によって記憶されたテンプレートの文字列エリアのフォント情報を変更するフォント変更工程を含んだことを特徴とする請求項１１〜１５のいずれか一つに記載の画像処理方法。
【請求項１７】
さらに、前記テンプレートと重なった部分の背景画像をトリミングするトリミング工程を含んだことを特徴とする請求項１１〜１６のいずれか一つに記載の画像処理方法。
【請求項１８】
前記背景画像と前記テンプレートを組み合わせたデザインの履歴を記憶するデザイン履歴記憶工程と、
前記デザイン履歴記憶工程によって記憶されたデザインの履歴を表示するデザイン履歴表示工程と、
を含んだことを特徴とする請求項１１〜１７のいずれか一つに記載の画像処理方法。
【請求項１９】
利用者ＩＤごとに合成画面の情報を記憶する合成画面情報記憶工程と、
前記利用者ＩＤによって次回利用される場合に、前記合成画面情報記憶工程によって記憶された合成画面を表示する合成画面表示工程と、
を含んだことを特徴とする請求項１１〜１８のいずれか一つに記載の画像処理方法。
【請求項２０】
前記合成画面の情報は、背景画像のカテゴリ、テンプレートのカテゴリおよびデザイン履歴の少なくともいずれか一つを含むことを特徴とする請求項１９に記載の画像処理方法。
【請求項２１】
表示画面上に表示された画像を編集加工するに際し、
背景画像を記憶する背景画像記憶工程と、
テンプレートを記憶するテンプレート記憶工程と、
前記背景画像記憶工程によって記憶された背景画像を、所定の表示領域に表示する背景画像表示工程と、
前記テンプレート記憶工程によって記憶されたテンプレートを、前記背景画像が表示される表示領域とは別の表示領域に表示するテンプレート表示工程と、
表示された前記背景画像と前記テンプレートの組み合わせを指示する組み合わせ指示工程と、
前記組み合わせ指示工程によって組み合わせが指示された画像を表示する組み合わせ画像表示工程と、
をコンピュータに実行させることを特徴とする画像処理プログラム。
【請求項２２】
前記請求項２１に記載された画像処理プログラムを記録したことを特徴とするコンピュータ読み取り可能な記録媒体。
【発明の詳細な説明】
【技術分野】
【０００１】
この発明は、画像を表示画面上に表示し、表示された画像を編集加工する画像処理装置、画像処理方法、画像処理プログラムおよびコンピュータ読み取り可能な記録媒体に関する。
【背景技術】
【０００２】
従来、画像を表示画面上に表示し、表示された画像を編集加工する場合に、すでに登録されている背景画像やテンプレートを用いる場合があった。
【発明の開示】
【発明が解決しようとする課題】
【０００３】
しかしながら、上記の従来技術にあっては、それぞれ別個に編集加工しなければならず、背景画像とテンプレートを同時に組み合わせて編集加工することができず、所望の編集加工を効率的におこなうことができないという問題点があった。
【０００４】
この発明は、上述した従来例による問題を解消するため、背景画像とテンプレートを効率的に編集加工することが可能な画像処理装置、画像処理方法、画像処理プログラムおよびコンピュータ読み取り可能な記録媒体を提供することを目的とする。
【課題を解決するための手段】
【０００５】
上述した課題を解決し、目的を達成するため、請求項１に記載の発明にかかる画像処理装置は、画像を表示画面上に表示する表示手段を備え、前記表示手段に表示された画像を編集加工する画像処理装置において、背景画像を記憶する背景画像記憶手段と、テンプレートを記憶するテンプレート記憶手段と、前記背景画像記憶手段によって記憶された背景画像を、所定の表示領域に表示する背景画像表示制御手段と、前記テンプレート記憶手段によって記憶されたテンプレートを、前記背景画像が表示される表示領域とは別の表示領域に表示するテンプレート表示制御手段と、表示された前記背景画像と前記テンプレートの組み合わせを指示する組み合わせ指示手段と、前記組み合わせ指示手段によって組み合わせが指示された画像を表示する組み合わせ画像表示制御手段と、を備えたことを特徴とする。
【０００６】
また、請求項２に記載の発明にかかる画像処理装置は、請求項１に記載の発明において、前記背景画像表示制御手段および前記テンプレート表示制御手段の少なくともいずれかは、暦情報に基づいて異なる情報を表示することを特徴とする。
【０００７】
また、請求項３に記載の発明にかかる画像処理装置は、請求項１または２に記載の発明において、さらに、前記背景画像表示制御手段によって表示された背景画像に対して、複数種類の画像変換をおこなう画像変換手段を備えたことを特徴とする。
【０００８】
また、請求項４に記載の発明にかかる画像処理装置は、請求項３に記載の発明において、前記画像変換手段は、前記複数種類の画像変換を少なくとも２つ以上同時におこなうことを特徴とする。
【０００９】
また、請求項５に記載の発明にかかる画像処理装置は、請求項１〜４のいずれか一つに記載の発明において、前記テンプレート記憶手段は、カテゴリ別、用紙サイズ別、コントロール数別の少なくともいずれか一つに分類して記憶することを特徴とする。
【００１０】
また、請求項６に記載の発明にかかる画像処理装置は、請求項１〜５のいずれか一つに記載の発明において、さらに、前記テンプレート記憶手段によって記憶されたテンプレートの文字列エリアのフォント情報を変更するフォント変更手段を備えたことを特徴とする。
【００１１】
また、請求項７に記載の発明にかかる画像処理装置は、請求項１〜６のいずれか一つに記載の発明において、さらに、前記テンプレートと重なった部分の背景画像をトリミングするトリミング手段を備えたことを特徴とする。
【００１２】
また、請求項８に記載の発明にかかる画像処理装置は、請求項１〜７のいずれか一つに記載の発明において、前記背景画像と前記テンプレートを組み合わせたデザインの履歴を記憶するデザイン履歴記憶手段と、前記デザイン履歴記憶手段によって記憶されたデザインの履歴を表示するデザイン履歴表示制御手段と、を備えたことを特徴とする。
【００１３】
また、請求項９に記載の発明にかかる画像処理装置は、請求項１〜８のいずれか一つに記載の発明において、利用者ＩＤごとに合成画面の情報を記憶する合成画面情報記憶手段と、前記利用者ＩＤによって次回利用される場合に、前記合成画面情報記憶手段によって記憶された合成画面を表示する合成画面表示制御手段と、を備えたことを特徴とする。
【００１４】
また、請求項１０に記載の発明にかかる画像処理装置は、請求項９に記載の発明において、前記合成画面の情報は、背景画像のカテゴリ、テンプレートのカテゴリおよびデザイン履歴の少なくともいずれか一つを含むことを特徴とする。
【００１５】
また、請求項１１に記載の発明にかかる画像処理方法は、表示画面上に表示された画像を編集加工する画像処理方法において、背景画像を記憶する背景画像記憶工程と、テンプレートを記憶するテンプレート記憶工程と、前記背景画像記憶工程によって記憶された背景画像を、所定の表示領域に表示する背景画像表示工程と、前記テンプレート記憶工程によって記憶されたテンプレートを、前記背景画像が表示される表示領域とは別の表示領域に表示するテンプレート表示工程と、表示された前記背景画像と前記テンプレートの組み合わせを指示する組み合わせ指示工程と、前記組み合わせ指示工程によって組み合わせが指示された画像を表示する組み合わせ画像表示工程と、を含んだことを特徴とする。
【００１６】
また、請求項１２に記載の発明にかかる画像処理方法は、請求項１１に記載の発明において、前記背景画像表示工程および前記テンプレート表示工程の少なくともいずれかは、暦情報に基づいて異なる情報を表示することを特徴とする。
【００１７】
また、請求項１３に記載の発明にかかる画像処理方法は、請求項１１または１２に記載の発明において、さらに、前記背景画像表示工程によって表示された背景画像に対して、複数種類の画像変換をおこなう画像変換工程を含んだことを特徴とする。
【００１８】
また、請求項１４に記載の発明にかかる画像処理方法は、請求項１３に記載の発明において、前記画像変換工程は、前記複数種類の画像変換を少なくとも２つ以上同時におこなうことを特徴とする。
【００１９】
また、請求項１５に記載の発明にかかる画像処理方法は、請求項１１〜１４のいずれか一つに記載の発明において、前記テンプレート記憶工程は、カテゴリ別、用紙サイズ別、コントロール数別の少なくともいずれか一つに分類して記憶することを特徴とする。
【００２０】
また、請求項１６に記載の発明にかかる画像処理方法は、請求項１１〜１５のいずれか一つに記載の発明において、さらに、前記テンプレート記憶工程によって記憶されたテンプレートの文字列エリアのフォント情報を変更するフォント変更工程を含んだことを特徴とする。
【００２１】
また、請求項１７に記載の発明にかかる画像処理方法は、請求項１１〜１６のいずれか一つに記載の発明において、さらに、前記テンプレートと重なった部分の背景画像をトリミングするトリミング工程を含んだことを特徴とする。
【００２２】
また、請求項１８に記載の発明にかかる画像処理方法は、請求項１１〜１７のいずれか一つに記載の発明において、前記背景画像と前記テンプレートを組み合わせたデザインの履歴を記憶するデザイン履歴記憶工程と、前記デザイン履歴記憶工程によって記憶されたデザインの履歴を表示するデザイン履歴表示工程と、を含んだことを特徴とする。
【００２３】
また、請求項１９に記載の発明にかかる画像処理方法は、請求項１１〜１８のいずれか一つに記載の発明において、利用者ＩＤごとに合成画面の情報を記憶する合成画面情報記憶工程と、前記利用者ＩＤによって次回利用される場合に、前記合成画面情報記憶工程によって記憶された合成画面を表示する合成画面表示工程と、を含んだことを特徴とする。
【００２４】
また、請求項２０に記載の発明にかかる画像処理方法は、請求項１９に記載の発明において、前記合成画面の情報は、背景画像のカテゴリ、テンプレートのカテゴリおよびデザイン履歴の少なくともいずれか一つを含むことを特徴とする。
【００２５】
また、請求項２１に記載の発明にかかる画像処理プログラムは、表示画面上に表示された画像を編集加工するに際し、背景画像を記憶する背景画像記憶工程と、テンプレートを記憶するテンプレート記憶工程と、前記背景画像記憶工程によって記憶された背景画像を、所定の表示領域に表示する背景画像表示工程と、前記テンプレート記憶工程によって記憶されたテンプレートを、前記背景画像が表示される表示領域とは別の表示領域に表示するテンプレート表示工程と、表示された前記背景画像と前記テンプレートの組み合わせを指示する組み合わせ指示工程と、前記組み合わせ指示工程によって組み合わせが指示された画像を表示する組み合わせ画像表示工程と、をコンピュータに実行させることを特徴とする。
【００２６】
また、請求項２２に記載の発明にかかるコンピュータ読み取り可能な記録媒体は、前記請求項２１に記載された画像処理プログラムを記録したことを特徴とする。
【００２７】
この請求項２２に記載の発明によれば、請求項２１に記載された画像処理プログラムを記録したことで、そのプログラムをコンピュータ読み取り可能となり、これによって、請求項２１の動作をコンピュータによって実現することが可能である。
【発明の効果】
【００２８】
以上説明したように、この発明によれば、背景画像とテンプレートを効率的に編集加工することが可能な画像処理装置、画像処理方法、画像処理プログラムおよびコンピュータ読み取り可能な記録媒体が得られるという効果を奏する。
【発明を実施するための最良の形態】
【００２９】
以下に添付図面を参照して、この発明にかかる画像処理装置、画像処理方法、画像処理プログラムおよびコンピュータ読み取り可能な記録媒体の好適な実施の形態を詳細に説明する。
【００３０】
（画像付ドキュメント作成システム全体の構成）
まず、この発明の本実施の形態にかかる画像処理装置を含む画像付ドキュメント作成システム全体の構成を説明する。図１はこの発明の本実施の形態にかかる画像処理装置を含む画像付ドキュメント作成システム全体の構成を機能的に示す説明図である。この画像付ドキュメント作成システムは、図１に機能的に示したように、入力部１０１と、加工部１０２と、出力部１０３とから構成される画像処理装置１００と、ホストコンピュータシステム１０５とがＬＡＮ等のネットワークで接続されている。
【００３１】
入力部１０１は、画像の取込み処理をおこなうものであり、たとえば、スキャナやＩＣカード、あるいはデジタルスチルカメラ、フォトＣＤ読取装置等を含むものである。入力部１０１は画像を取込み、取込んだ画像を所定のファイル形式に変換した後、加工部１０２へ送信する。
【００３２】
加工部１０２は、入力部１０１によって取込まれた画像を登録、削除、変更等の加工処理をするものであり、たとえば、パーソナルコンピュータ（ＰＣ）等を用いておこなうものである。また、加工部１０２内に設けられた、あるいは、加工部１０２に外付けされた画像データ記憶部１０４は、たとえば、ＰＣに内蔵のハードディスクや、フレキシブルディスク、書き換え可能なＣＤ−ＲＯＭ、ＭＯ、ＤＶＤ等、加工部１０２において加工された画像データを記憶するものである。
【００３３】
さらに加工部１０２は、画像データ記憶部１０４に記憶された画像データを検索し、検索した画像データを他のドキュメントに貼付け、そのドキュメントをディスプレイに表示するように表示制御をおこなったり、出力部１０３に印刷するように印刷制御をおこなったりする。
【００３４】
出力部１０３は、加工部１０２によって印刷制御された画像データおよび画像データを含むドキュメントを印刷処理するものである。たとえば、白黒およびフルカラーの印刷が可能なレーザープリンタやデジタル複写機等が含まれる。また、出力部１０３には、名刺を印刷したり、ＩＤカード等のカードを印刷した後そのカードをラミネート加工する機能等を有するプリンタ等も含まれる。
【００３５】
ホストコンピュータシステム１０５は、加工部１０２であるＰＣとＬＡＮ等のネットワークで接続されており、ホストコンピュータ１０６と、ホストコンピュータ１０６とネットワークで接続された複数の端末装置１０７とからなる。ホストコンピュータ１０６には、たとえば社内の人事情報に関する人事情報ファイル１０８が記憶されており、各端末装置１０７からはその人事情報ファイル１０８にアクセスすることができる。
【００３６】
また、加工部１０２と人事情報ファイル１０８とはその情報を互いにリンクできるようになっており、端末装置１０７から社員番号等の人事情報を入力することによって、人事情報ファイル１０８を介して加工部１０２の画像データ記憶部１０４に記憶された画像データを検索することも可能である。
【００３７】
画像付ドキュメント作成システムの具体的な応用例としては、たとえば、顔写真付の名刺を作成する名刺作成システムや、商品写真やスタッフの顔写真を掲載した案内状等の葉書を作成する葉書作成システムや、写真付きの身分証明書（ＩＤカード）を作成するＩＤカード作成システムや、企画書や広告チラシやカタログ等のリーフレットを作成するリーフレット作成システムや、写真付きのカードを作成するカード作成システムや、社員の写真や履歴書、自己申告書等の顔写真付人事台帳、住所、地図等を作成、管理する人事情報システムや、中古車の写真付き情報を検索する中古車検索システムや、仕入れ情報を管理する仕入れ情報企画購入システムや、工程管理、工事台帳との合成による土木建設業向けシステムや、三次元ＣＡＤとの合成による建設完成予想図システム等が含まれる。これらのシステムは当然、カラー写真等のカラー画像を用いて作成管理するカラーシステムとしても用いることができる。
【００３８】
（画像処理装置のハードウエア構成）
つぎに、画像処理装置１００のハードウエア構成について説明する。図２は、この発明の本実施の形態にかかる画像処理装置のハードウエア構成を示すブロック図である。図２において、２０１はシステム全体を制御するＣＰＵを、２０２はブートプログラム等を記憶したＲＯＭを、２０３はＣＰＵのワークエリアとして使用されるＲＡＭを、２０４はＣＰＵ２０１の制御にしたがってＨＤ（ハードディスク）２０５に対するデータのリード／ライトを制御するＨＤＤ（ハードディスクドライブ）を、２０５はＨＤＤ２０４の制御で書き込まれたデータを記憶するＨＤをそれぞれ示している。
【００３９】
２０６はＣＰＵ２０１の制御にしたがってＦＤ（フレキシブルディスク）２０７に対するデータのリード／ライトを制御するＦＤＤ（フレキシブルディスクドライブ）を、２０７はＦＤＤ２０６の制御で書き込まれたデータを記憶する着脱自在な記録媒体の一例としてのＦＤを、２０８は文字、画像等を含むドキュメントや機能情報等を表示するディスプレイをそれぞれ示している。
【００４０】
また、２０９は通信回線２１０を介してネットワークＮＥＴに接続され、そのネットワークＮＥＴと内部のインターフェイスを司るインターフェイス（Ｉ／Ｆ）を、２１１は文字、数値、各種指示等の入力のためのキーを備えたキーボードを、２１２はカーソルの移動や範囲選択等をおこなうマウスを、２１３は画像を光学的に読み取るスキャナを、２１４はドキュメント等を印刷するプリンタを、２１５は上記各部を接続するためのバスをそれぞれ示している。
【００４１】
（画像処理装置の機能的構成）
また、図３は、この発明の本実施の形態にかかる画像処理装置１００の構成を機能的に示すブロック図である。図３において、加工部１０２は、画像データ記憶部１０４のほか、操作指示部３０１と、画像登録部３０２と、画像削除部３０３と、画像変更部３０４と、画像検索部３０５と、画像貼付部３０６と、表示制御部３０７と、表示部３０８と、印刷制御部３０９等を含む構成である。
【００４２】
操作指示部３０１は、表示部３０８の表示内容にしたがって、画像登録部３０２、画像削除部３０３、画像変更部３０４、画像検索部３０５、画像貼付部３０６、表示制御部３０７、印刷制御部３０９の各部に操作の指示をおこなうものである。たとえば、キーボード２１１や、マウス２１２等のポインティングデバイスを含むものである。
【００４３】
画像登録部３０２は、入力部１０１から送信された画像データを、ファイル名等の所定のデータを付加することによって画像データファイルとして登録し、画像データ記憶部１０４へ記憶するものである。
【００４４】
画像削除部３０３は、操作指示部３０１からの削除指示にしたがって、画像データ記憶部１０４にすでに記憶されている画像データを画像データ記憶部１０４から削除するものである。
【００４５】
画像変更部３０４は、操作指示部３０１からの変更指示にしたがって、画像データ記憶部１０４にすでに記憶されている画像データファイルの画像データに変更を加え、変更後の画像データを再度画像データ記憶部１０４に記憶するものである。
【００４６】
画像検索部３０５は、操作指示部３０１からの検索指示にしたがって、画像データ記憶部１０４にすでに記憶されている画像データファイルのうち、所望の画像データファイルを検索するものである。
【００４７】
画像貼付部３０６は、操作指示部３０１からの画像貼付指示にしたがって、画像データ記憶部１０４にすでに記憶されている画像データをドキュメントに貼付け処理をおこなうものである。
【００４８】
表示制御部３０７は、操作指示部３０１からの表示指示にしたがって、画像データ記憶部１０４に記憶された画像データファイルの画像や当該画像を縮小した縮小画像等を表示部３０８の表示画面上に表示させるように制御するものである。表示制御部３０７の制御についての詳細は、後述する。
【００４９】
印刷制御部３０９は、操作指示部３０１からの印刷指示にしたがって、画像データあるいは画像付ドキュメント等の印刷データを出力部１０３へ送信する。また、出力部１０３の操作制御、たとえば印刷枚数の設定等も操作指示部３０１からの操作指示にしたがっておこなう。
【００５０】
画像登録部３０２、画像削除部３０３、画像変更部３０４、画像検索部３０５、画像貼付部３０６、表示制御部３０７、印刷制御部３０９はそれぞれ、ＲＯＭ２０２、ＲＡＭ２０３またはハードディスク２０５、フレキシブルディスク２０７等の記録媒体に記録されたＯＳ、アプリケーションプログラム等のプログラムに記載された命令にしたがってＣＰＵ２０１等が命令処理を実行することによって、各部の機能を実現するものである。
【００５１】
また、表示部３０８は、表示制御部３０７にかかる表示制御に基づいて、画像や文字列を含むドキュメント等を表示するものである。たとえばディスプレイ２０８であり、ディスプレイ２０８は液晶ディスプレイやプラズマディスプレイ等を含むものである。
【００５２】
つぎに、表示制御部３０７の構成についてより詳細に説明する。図４は、この発明の本実施の形態にかかる画像処理装置の表示制御部およびその周辺部の構成を機能的に示すブロック図である。図４に示すように、表示制御部３０７は、背景画像表示制御部４０１と、テンプレート表示制御部４０２と、組み合わせ画像表示制御部４０３とを含む構成となっている。また、画像データ記憶部１０４は、背景画像記憶部４０４と、テンプレート記憶部４０５とを含む構成となっている。
【００５３】
背景画像記憶部４０４は、背景画像を記憶する。また、テンプレート記憶部４０５は、テンプレートを記憶する。ここで、テンプレート記憶部４０５は、カテゴリ別、用紙サイズ別、コントロール数別の少なくともいずれか一つに分類して記憶するようにしてもよい。
【００５４】
そして、背景画像表示制御部４０１は、背景画像記憶部４０４によって記憶された背景画像を、所定の表示領域（たとえば後述する図１７の表示画面の左側）に表示する。
【００５５】
また、テンプレート表示制御部４０２は、テンプレート記憶部４０５によって記憶されたテンプレートを、背景画像が表示される表示領域とは別の表示領域（たとえば後述する図１７の表示画面の右側）に表示する。
【００５６】
ここで、背景画像表示制御部４０１およびテンプレート表示制御部４０２の少なくともいずれかは、暦情報に基づいて異なる情報を表示する。
【００５７】
また、組み合わせ指示手段としての操作指示部３０１は、表示された前記背景画像と前記テンプレートの組み合わせを指示する。そして、組み合わせ画像表示制御部４０３は、組み合わせ指示手段によって組み合わせが指示された画像を表示する。
【００５８】
つぎに図４に示した画像処理装置の表示制御部およびその周辺部の処理の内容について説明する。図５は、図４に示した画像処理装置の表示制御部およびその周辺部の処理の手順を示すフローチャートである。
【００５９】
図５のフローチャートにおいて、背景画像記憶部４０４から所定の背景画像を抽出し（ステップＳ５０１）、表示する（ステップＳ５０２）とともに、テンプレート記憶部４０５から所定のテンプレートを抽出し（ステップＳ５０３）、表示する（ステップＳ５０４）。
【００６０】
その後、背景画像とテンプレートの組み合わせ指示があるのを待って、組み合わせ指示があった場合（ステップＳ５０５：Ｙｅｓ）は、組み合わせ処理をおこない（ステップＳ５０６）、組み合わせ処理がおこなわれた画像を表示し（ステップＳ５０７）、一連の処理を終了する。
【００６１】
このように、あらかじめカテゴリ別に背景画像とテンプレートが用意されており、前記背景画像とテンプレートを組み合わせることによって、簡単に見栄えのよいカタログやチラシなどの資料を作成することができる。
【００６２】
また、図６は、図４に示した画像処理装置の表示制御部およびその周辺部の処理の別の手順を示すフローチャートである。
【００６３】
、図６のフローチャートにおいて、背景画像記憶部４０４から所定の背景画像を抽出し（ステップＳ６０１）、表示する（ステップＳ６０２）とともに、テンプレート記憶部４０５から所定のテンプレートを抽出し（ステップＳ６０３）、表示する（ステップＳ６０４）。
【００６４】
その後、システム日付が所定の日付になったか否かを判断する（ステップＳ６０５）。そして、所定の日付になるのを待って、所定の日付になった場合（ステップＳ６０５：Ｙｅｓ）は、背景画像記憶部４０４から別の背景画像を抽出し（ステップＳ６０６）、表示する（ステップＳ６０７）とともに、テンプレート記憶部４０５から別のテンプレートを抽出し（ステップＳ６０８）、表示する（ステップＳ６０９）。そして、ステップＳ６０５に戻る。
【００６５】
このように、背景画像、テンプレートのカテゴリは季節によって最適なものが表示されるように設定することができる。たとえば、夏であれば、海、祭り、花火などの背景画像などである。
【００６６】
また図７は、この発明の本実施の形態にかかる画像処理装置の表示制御部およびその周辺部の別の構成を機能的に示すブロック図である。図７は、図４の構成にさらに画像変換部７０１を含む構成となっている。
【００６７】
画像変換部７０１は、背景画像表示制御部４０１によって表示された背景画像に対して、複数種類の画像変換をおこなう。画像変換の種類としては、たとえば、「明るさ」、「コントラスト」、「ＲＧＢ補正」、「色相」、「彩度」、「明度」、「ポスタライズ」、「モザイク」、「平均化」、「メジアン」、「塗料」、「ソラリゼーション」、「ノイズ」、「エンボス」、「色の反転」などである。
【００６８】
また、画像変換部７０１は、複数種類の画像変換を少なくとも２つ以上同時におこなうようにしてもよい。たとえば、「明るさ」と「モザイク」などの別々の種類の組み合わせが可能である。
【００６９】
つぎに図７に示した画像処理装置の表示制御部およびその周辺部の処理の内容について説明する。図８は、図７に示した画像処理装置の表示制御部およびその周辺部の処理の手順を示すフローチャートである。
【００７０】
図８のフローチャートにおいて、表示された背景画像に対して、任意の画像変更処理が指示されたか否かを判断し（ステップＳ８０１）、指示されるのを待って、指示された場合（ステップＳ８０１：Ｙｅｓ）は、当該変更処理をおこない（ステップＳ８０２）、変更された背景画像を表示する（ステップＳ８０３）。
【００７１】
つぎに、別の画像変更処理が指示されたか否かを判断し（ステップＳ８０４）、指示されるのを待って、指示された場合（ステップＳ８０４：Ｙｅｓ）は、当該別の変更処理をおこない（ステップＳ８０５）、ステップＳ８０３へ戻って、変更された背景画像を表示する。
【００７２】
また図９は、この発明の本実施の形態にかかる画像処理装置の表示制御部およびその周辺部の別の構成を機能的に示すブロック図である。図９は、図７の構成にさらにフォント変更部９０１を含む構成となっている。
【００７３】
フォント変更部９０１は、テンプレート記憶部４０５によって記憶されたテンプレートの文字列エリアのフォント情報を変更する。これによって、より所望のテンプレートを利用することができる。
【００７４】
つぎに図９に示した画像処理装置の表示制御部およびその周辺部の処理の内容について説明する。図１０は、図９に示した画像処理装置の表示制御部およびその周辺部の処理の手順を示すフローチャートである。
【００７５】
図１０のフローチャートにおいて、テンプレートに対して、任意のフォントへの変更が指示されたか否かを判断し（ステップＳ１００１）、指示されるのを待って、指示された場合（ステップＳ１００１：Ｙｅｓ）は、当該フォントへの変更をおこない（ステップＳ１００２）、フォントが変更されたテンプレートを表示し（ステップＳ１００３）、ステップＳ１００１へ戻り、以降、フォントの変更が指示されるたびに、同一の処理を繰り返す。
【００７６】
また図１１は、この発明の本実施の形態にかかる画像処理装置の表示制御部およびその周辺部の別の構成を機能的に示すブロック図である。図１１は、図９の構成にさらにトリミング部１１０１を含む構成となっている。
【００７７】
トリミング部１１０１は、テンプレートと重なった部分の背景画像をトリミングする。これによって、背景画像内の必要な部分は、トリミングをする必要がなく、テンプレートと重なった部分が自動的にトリミングされる。
【００７８】
つぎに図１１に示した画像処理装置の表示制御部およびその周辺部の処理の内容について説明する。図１２は、図１１に示した画像処理装置の表示制御部およびその周辺部の処理の手順を示すフローチャートである。
【００７９】
図１２のフローチャートにおいて、まず、背景画像とテンプレートとの組み合わせ処理がなされたか否かを判断し（ステップＳ１２０１）、組み合わせ処理がなされた場合（ステップＳ１２０１：Ｙｅｓ）は、つぎに、背景画像とテンプレートにおいて重なった部分があるか否かを判断する（ステップＳ１２０２）。
【００８０】
ステップＳ１２０２において、重なった部分がある場合（ステップＳ１２０２：Ｙｅｓ）は、当該重なった部分を抽出し（ステップＳ１２０３）、抽出された部分を削除する（ステップＳ１２０４）、ステップＳ１２０２において、重なった部分がない場合（ステップＳ１２０２：Ｎｏ）は、なにもせずに、ステップＳ１２０５へ移行する。その後、背景画像の上記部分が削除された状態の組み合わせ画像を表示し（ステップＳ１２０５）、一連の処理を終了する。
【００８１】
また図１３は、この発明の本実施の形態にかかる画像処理装置の表示制御部およびその周辺部の別の構成を機能的に示すブロック図である。図１３は、図１１の構成にさらにデザイン履歴表示制御部１３０１と、デザイン履歴記憶部１３０２の２つの構成部を含む構成となっている。
【００８２】
デザイン履歴記憶部１３０２は、背景画像とテンプレートを組み合わせたデザインの履歴を記憶する。また、デザイン履歴表示制御部１３０１は、デザイン履歴記憶部１３０２によって記憶されたデザインの履歴を表示する。これによって、背景画像とテンプレートの組み合わせ（デザイン）は、デザイン履歴として記憶され、履歴ビューで確認することができる。
【００８３】
つぎに図１３に示した画像処理装置の表示制御部およびその周辺部の処理の内容について説明する。図１４は、図１３に示した画像処理装置の表示制御部およびその周辺部の処理の手順を示すフローチャートである。
【００８４】
図１４のフローチャートにおいて、デザイン履歴の保存が指示されたか否かを判断する（ステップＳ１４０１）。ここで、デザイン履歴の保存が指示されるのを待って、指示された場合（ステップＳ１４０１：Ｙｅｓ）は、当該デザイン履歴を保存（記憶）する（ステップＳ１４０２）。
【００８５】
その後、履歴ビュー表示が指示されたか否かを判断する（ステップＳ１４０３）。ここで、指示がされない場合（ステップＳ１４０３：Ｎｏ）は、別のデザイン履歴の保存が指示されたか否かを判断する（ステップＳ１４０４）。
【００８６】
そして、指示がされない場合（ステップＳ１４０４：Ｎｏ）は、ステップＳ１４０３へ戻り、ステップＳ１４０３およびステップＳ１４０４を繰り返しおこなう。一方、ステップＳ１４０４において、別のデザイン履歴の保存が指示された場合（ステップＳ１４０４：Ｙｅｓ）は、ステップＳ１４０２へ戻る。
【００８７】
その後、ステップＳ１４０３において、履歴ビュー表示が指示された場合（ステップＳ１４０３：Ｙｅｓ）は、指示されたデザイン履歴を履歴ビューに表示し（ステップＳ１４０５）、一連の処理を終了する。
【００８８】
また図１５は、この発明の本実施の形態にかかる画像処理装置の表示制御部およびその周辺部の別の構成を機能的に示すブロック図である。図１５は、図１３の構成にさらに合成画面表示制御部１５０１と、合成画面情報記憶部１５０２の２つの構成部を含む構成となっている。
【００８９】
合成画面情報記憶部１５０２は、利用者ＩＤごとに合成画面の情報を記憶する。記合成画面の情報は、背景画像のカテゴリ、テンプレートのカテゴリおよびデザイン履歴の少なくともいずれか一つを含むことが望ましい。
【００９０】
また、合成画面表示制御部１５０１は、利用者ＩＤによって次回利用される場合に、合成画面情報記憶部１５０２によって記憶された合成画面を表示する。これによって、次回利用時に、記憶した情報で合成画面を表示することができる。
【００９１】
つぎに図１５に示した画像処理装置の表示制御部およびその周辺部の処理の内容について説明する。図１６は、図１５に示した画像処理装置の表示制御部およびその周辺部の処理の手順を示すフローチャートである。
【００９２】
図１６のフローチャートにおいて、合成画面情報の保存が指示されたか否かを判断する（ステップＳ１６０１）。ここで、合成画面情報の保存が指示されるのを待って、指示された場合（ステップＳ１６０１：Ｙｅｓ）は、当該合成画面情報を保存（記憶）する（ステップＳ１６０２）。
【００９３】
その後、合成画面情報の表示が指示されたか否かを判断する（ステップＳ１６０３）。ここで、指示がされない場合（ステップＳ１６０３：Ｎｏ）は、別の合成画面情報の保存が指示されたか否かを判断する（ステップＳ１６０４）。
【００９４】
そして、指示がされない場合（ステップＳ１６０４：Ｎｏ）は、ステップＳ１６０３へ戻り、ステップＳ１６０３およびステップＳ１６０４を繰り返しおこなう。一方、ステップＳ１６０４において、別の合成画面情報の保存が指示された場合（ステップＳ１６０４：Ｙｅｓ）は、ステップＳ１６０２へ戻る。
【００９５】
その後、ステップＳ１６０３において、合成画面情報の表示が指示された場合（ステップＳ１６０３：Ｙｅｓ）は、指示された合成画面情報に基づいて表示し（ステップＳ１６０５）、一連の処理を終了する。
【００９６】
（表示画面の内容）
つぎに、表示画面の内容について説明する。図１７は、この発明の本実施の形態の画像処理装置の表示画面の内容を示す説明図である。図１７において、１７０１が背景画像表示領域であり、１７０２がテンプレート表示領域であり、１７０３が組み合わせ画像表示領域であり、１７０４が履歴ビューである。
【００９７】
このように、一つの表示画面に複数の表示領域を設け、同時に表示することによって、マウスのドラッグドロップなどを用いて容易に画像の編集加工をすることができる。
【００９８】
このように、この発明の本実施の形態によれば、たとえば５１２種類のテンプレートと、約４００種類の背景イメージを組み合わせ、画面上で合成イメージを確認しながら、多彩なフォーマットの作成を簡単におこなうことができる。あとは文字や写真の大きさを指定してレイアウトを完成し、写真を差し込むことで、さまざまなカラーリーフレットが手軽に作成できる。
【００９９】
特に、テンプレートと背景イメージを組み合わせ、多彩なフォーマットが作成できる。また、カタログやチラシ、メニューなど、各種書類の書式やサイズ、掲載したい写真点数などに応じて選択できる５１２種類のテンプレートと約４００種類の背景イメージを用意し、テンプレートと背景イメージを選択し、画面上で合成イメージを確認しながらフォーマットを作成できる簡単操作を実現する。
【０１００】
また、背景イメージは、明るさやコントラスト、色相などを１５種類の調整を可能にし、画面イメージを確認しながらアレンジすることで、簡単にオリジナルフォーマットの作成が可能となる。
【０１０１】
また、写真や文字のレイアウトもイメージを確認しながら効率的におこなうことができる。また、写真や文字の大きさを指定するレイアウト作業や写真の差し替え時に、常にプレビュー表示をする「ミニビュー」を搭載する。「ミニビュー」とは、フォーム編集に連動して、作成イメージを常にプレビュー表示する。したがって、仕上がりをチェックしながら作業できるため、効率的よくイメージ通りの書類作成が可能となる。
【０１０２】
また、書類を効率よく活用できる管理機能を搭載し、仕上がった書類は、視覚的に検索しやすいよう、ツリー表示に加えてサムネイルでも一覧表示する。また、プレビューデータを画像データ（ｂｍｐ／ｊｐｇ形式）で保存することも可能である。したがって、Ｅ−Ｍａｉｌやホームページでの活用も容易におこなうことができる。
【０１０３】
さらに、文字サイズの最適化をおこなうことができる。すなわち、枠にあわせて文字サイズを自動計算する。また、フォントを細かく設定できるので、多彩な文書の作成が効率的におこなえる。
【０１０４】
また、自動改行をおこなうことができる。長い文章も指定した行数で自動的改行する。そして、改行の際の句読点文字を設定できるので、全体の構成を容易に整えることができる。
【０１０５】
また、複数コピーをすることができる。一枚の写真と商品名、価格などの２つの文字項目といったまとまった単位で複製することができる。それによって、商品台帳やチラシがさらに効率的に作成できる。
【０１０６】
なお、この発明の本実施の形態にかかる画像処理方法は、あらかじめ用意されたプログラムをパーソナルコンピュータやワークステーション等のコンピュータで実行することによって実現される。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、上記記録媒体を介して、または、たとえばインターネットなどのネットワークを介して配布することができる。
【産業上の利用可能性】
【０１０７】
以上のように、本発明にかかる画像処理装置、画像処理方法、画像処理プログラムおよびコンピュータ読み取り可能な記録媒体は、画像の編集加工に有用であり、特に、背景画像やテンプレートを用いておこなうのに適している。
【図面の簡単な説明】
【０１０８】
【図１】この発明の本実施の形態にかかる画像処理装置を含む画像付ドキュメント作成システム全体の構成を機能的に示す説明図である。
【図２】この発明の本実施の形態にかかる画像処理装置のハードウエア構成を示すブロック図である。
【図３】この発明の本実施の形態にかかる画像処理装置の構成を機能的に示すブロック図である。
【図４】この発明の本実施の形態にかかる画像処理装置の表示制御部およびその周辺部の構成を機能的に示すブロック図である。
【図５】図４に示した画像処理装置の表示制御部およびその周辺部の処理の手順を示すフローチャートである。
【図６】図４に示した画像処理装置の表示制御部およびその周辺部の処理の別の手順を示すフローチャートである。
【図７】この発明の本実施の形態にかかる画像処理装置の表示制御部およびその周辺部の別の構成を機能的に示すブロック図である。
【図８】図７に示した画像処理装置の表示制御部およびその周辺部の処理の手順を示すフローチャートである。
【図９】この発明の本実施の形態にかかる画像処理装置の表示制御部およびその周辺部の別の構成を機能的に示すブロック図である。
【図１０】図９に示した画像処理装置の表示制御部およびその周辺部の処理の手順を示すフローチャートである。
【図１１】この発明の本実施の形態にかかる画像処理装置の表示制御部およびその周辺部の別の構成を機能的に示すブロック図である。
【図１２】図１１に示した画像処理装置の表示制御部およびその周辺部の処理の手順を示すフローチャートである。
【図１３】この発明の本実施の形態にかかる画像処理装置の表示制御部およびその周辺部の別の構成を機能的に示すブロック図である。
【図１４】図１３に示した画像処理装置の表示制御部およびその周辺部の処理の手順を示すフローチャートである。
【図１５】この発明の本実施の形態にかかる画像処理装置の表示制御部およびその周辺部の別の構成を機能的に示すブロック図である。
【図１６】図１５に示した画像処理装置の表示制御部およびその周辺部の処理の手順を示すフローチャートである。
【図１７】この発明の本実施の形態の画像処理装置の表示画面の内容を示す説明図である。
【符号の説明】
【０１０９】
１００  画像処理装置
１０１  入力部
１０２  加工部
１０３  出力部
１０４  画像データ記憶部
２０１  ＣＰＵ
２０５  ＨＤ
２０７  ＦＤ
２０８  ディスプレイ
２１１  キーボード
２１２  マウス
２１３  スキャナ
３０１  操作指示部
３０７  表示制御部
３０８  表示部
４０１  背景画像表示制御部
４０２  テンプレート表示制御部
４０３  組み合わせ画像表示制御部
４０４  背景画像記憶部
４０５  テンプレート記憶部
７０１  画像変換部
９０１  フォント変換部
１１０１  トリミング部
１３０１  デザイン履歴表示制御部
１３０２  デザイン履歴記憶部
１５０１  合成画面表示制御部
１５０２  合成画面情報記憶部
１７０１  背景画像表示領域
１７０２  テンプレート表示領域
１７０３  組み合わせ画像表示領域
１７０４  履歴ビュー
【図１】
2005165790.tif 000003
【図２】
2005165790.tif 000004
【図３】
2005165790.tif 000005
【図４】
2005165790.tif 000006
【図５】
2005165790.tif 000007
【図６】
2005165790.tif 000008
【図７】
2005165790.tif 000009
【図８】
2005165790.tif 000010
【図９】
2005165790.tif 000011
【図１０】
2005165790.tif 000012
【図１１】
2005165790.tif 000013
【図１２】
2005165790.tif 000014
【図１３】
2005165790.tif 000015
【図１４】
2005165790.tif 000016
【図１５】
2005165790.tif 000017
【図１６】
2005165790.tif 000018
【図１７】
2005165790.tif 000019